(57)【要約】【課題】撮影装置として使用されると共に、データの記録及び読み取りを行うことができる映像撮影機能を有する携帯用ストレージメディアを提供する。【解決手段】本体１０の内部に回路基板１３が設けられ、回路基板１３の一端にパソコンと接続するＵＳＢプラグなどのインターフェースコネクタ１４が設けられる映像撮影機能を有する携帯用ストレージメディアであって、回路基板１３には記憶体２１及び制御部材２２を有する記憶ユニット２０と、映像感知部材３１及びデジタルプロセッサー３２を有する映像取得ユニット３０と、記憶ユニット２０と映像取得ユニット３０とインターフェースコネクタ１４に夫々接続するスイッチ４１であるファンクション転換ユニット４０とを備えた構成とした。【選択図】　図２
0003098439.tif 000002
【実用新案登録請求の範囲】
【請求項１】
本体１０の内部に回路基板１３が設けられ、回路基板１３の一端にパソコンと接続するＵＳＢプラグなどのインターフェースコネクタ１４が設けられる映像撮影機能を有する携帯用ストレージメディアであって、
前記回路基板１３には記憶体２１及び制御部材２２を有する記憶ユニット２０と、映像感知部材３１及びデジタルプロセッサー３２を有する映像取得ユニット３０と、記憶ユニット２０と映像取得ユニット３０とインターフェースコネクタ１４に夫々接続するスイッチ４１であるファンクション転換ユニット４０とを備えることを特徴とする映像撮影機能を有する携帯用ストレージメディア。
【請求項２】
本体１０の内部に回路基板１３が設けられ、回路基板１３の一端にパソコンと接続するＵＳＢプラグなどのインターフェースコネクタ１４が設けられる映像撮影機能を有する携帯用ストレージメディアであって、
前記回路基板１３には記憶体２１及び制御部材２２を有する記憶ユニット２０と、映像感知部材３１及びデジタルプロセッサー３２を有する映像取得ユニット３０と、記憶ユニット２０と映像取得ユニット３０とインターフェースコネクタ１４に夫々接続する２ポートハブコントローラ（ｔｗｏ−ｐｏｒｔ　ＨＵＢ　ｃｏｎｔｒｏｌｌｅｒ）４２であるファンクション転換ユニット４０とを備えることを特徴とする映像撮影機能を有する携帯用ストレージメディア。
【請求項３】
本体１０の内部に回路基板１３が設けられ、回路基板１３の一端にパソコンと接続するＵＳＢプラグなどのインターフェースコネクタ１４が設けられる映像撮影機能を有する携帯用ストレージメディアであって、
前記回路基板１３には記憶体２１と、映像感知部材３１と、記憶体２１と映像感知部材３１とインターフェースコネクタ１４に夫々接続するデジタル処理及び転換部材４３とを備えることを特徴とする映像撮影機能を有する携帯用ストレージメディア。
【考案の詳細な説明】
【０００１】
【考案の属する技術分野】
本考案は、特に撮影装置として使用されると共に、データの記録及び読み取りを行うことができる映像撮影機能を有する携帯用ストレージメディアに関するものである。
【０００２】
【従来の技術】
従来の携帯用ストレージメディアはＵＳＢプラグのコネクタを有するので、パソコンにおけるＵＳＢソケットに挿入して、データの記録や読み取りを行うことができる。図７に示すように、従来の携帯用ストレージメディアは上カバー５１及び下カバー５２から成る本体５０の内部に記憶体を有する回路基板（符号なし）が設けられ、上カバー５１の表面に電源ランプの標示孔５３が形成され、ＵＳＢプラグ６０の一端が回路基板と接続されると共に、他端が本体５０の一端から外部へ延出し、更に、ＵＳＢプラグ６０を保護するために、外側に保護カバー６１が設けられる。
【０００３】
【考案が解決しようとする課題】
しかしながら、従来の携帯用ストレージメディアは、単にデータの記録及び読み取りしかできないことから、映像撮影を行う場合は、他の映像撮影装置を用意する必要であるために、非常に不便である。
【０００４】
そこで、案出されたのが本考案であって、撮影装置として用いることができると共に、データの記録及び読み取りを行うことができる映像撮影機能を有する携帯用ストレージメディアを提供することを目的としている。
【０００５】
【課題を解決するための手段】
本願の請求項１の考案は、本体１０の内部に回路基板１３が設けられ、回路基板１３の一端にパソコンと接続するＵＳＢプラグなどのインターフェースコネクタ１４が設けられる映像撮影機能を有する携帯用ストレージメディアであって、前記回路基板１３には記憶体２１及び制御部材２２を有する記憶ユニット２０と、映像感知部材３１及びデジタルプロセッサー３２を有する映像取得ユニット３０と、記憶ユニット２０と映像取得ユニット３０とインターフェースコネクタ１４に夫々接続するスイッチ４１であるファンクション転換ユニット４０とを備えることを特徴とする。
本願の請求項２の考案は、本体１０の内部に回路基板１３が設けられ、回路基板１３の一端にパソコンと接続するＵＳＢプラグなどのインターフェースコネクタ１４が設けられる映像撮影機能を有する携帯用ストレージメディアであって、前記回路基板１３には記憶体２１及び制御部材２２を有する記憶ユニット２０と、映像感知部材３１及びデジタルプロセッサー３２を有する映像取得ユニット３０と、記憶ユニット２０と映像取得ユニット３０とインターフェースコネクタ１４に夫々接続する２ポートハブコントローラ（ｔｗｏ−ｐｏｒｔ　ＨＵＢ　ｃｏｎｔｒｏｌｌｅｒ）４２であるファンクション転換ユニット４０とを備えることを特徴とする。
本願の請求項３の考案は、本体１０の内部に回路基板１３が設けられ、回路基板１３の一端にパソコンと接続するＵＳＢプラグなどのインターフェースコネクタ１４が設けられる映像撮影機能を有する携帯用ストレージメディアであって、前記回路基板１３には記憶体２１と、映像感知部材３１と、記憶体２１と映像感知部材３１とインターフェースコネクタ１４に夫々接続するデジタル処理及び転換部材４３とを備えることを特徴とする。
【０００６】
【作用】
本考案は上記の課題を解決するものであり、本体の内部に記憶ユニットと映像取得ユニットが設けられることにより、データの記録と読み取りができると共に、映像撮影装置として使用することができるので、非常に便利である。
【０００７】
【考案の実施の形態】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係わる映像撮影機能を有する携帯用ストレージメディアの分解斜視図であり、図２は本考案に係わる映像撮影機能を有する携帯用ストレージメディアの断面図であり、図３は本考案に係わる映像撮影機能を有する携帯用ストレージメディアの使用状態を示す斜視図であり、図４は本考案に係わる映像撮影機能を有する携帯用ストレージメディアにおける内部回路の第一実施例を示す参考図であり、図５は本考案に係わる映像撮影機能を有する携帯用ストレージメディアにおける内部回路の第二実施例を示す参考図であり、図６は本考案に係わる映像撮影機能を有する携帯用ストレージメディアにおける内部回路の第三実施例を示す参考図である。
【０００９】
図１，図２及び図４に示すように、本考案に係わる映像撮影機能を有する携帯用ストレージメディアは、本体１０と、本体１０の内部に設ける回路基板１３と、保護カバー１２とを備え、本体１０には撮影孔１１が形成され、回路基板１３には、本体１０から外部へ延出するインターフェースコネクタ１４、例えば、ＵＳＢプラグが設けられ、本体１０の外部におけるインターフェースコネクタ１４の外側に保護カバー１２が設けられる。
【００１０】
又、図４に示すように、前記回路基板１３の第一実施例は、回路基板１３に記憶ユニット２０と、映像取得ユニット３０と、ファンクション転換ユニット４０とを有し、記憶ユニット２０は記憶体２１及び制御部材２２を備え、その制御部材２２によって記憶体２１におけるデータの転換、記録又は読取を行うことができ、即ち、データがＵＳＢ規格の信号に転換される。映像取得ユニット３０は本体１０における撮影孔１１に対応する映像感知部材３１とデジタルプロセッサー３２とを有し、このデジタルプロセッサー３２は映像感知部材３１によって取得する映像信号がＵＳＢ規格の信号に転換される。ファンクション転換ユニット４０はインターフェースコネクタ１４に接続することにより、インターフェースコネクタ１４と記憶ユニット２０或いはインターフェースコネクタ１４と映像取得ユニット３０の接続する状態を制御する。このファンクション転換ユニット４０はマニュアル又は自動感知のものであるが、本実施形態のファンクション転換ユニット４０はマニュアルオペレーションによって使用するスイッチ４１である。
【００１１】
又、前記記憶ユニット２０の制御部材２２は更に読取専用ボタン４６を有し、使用者はこの読取専用ボタン４６によって記憶体２１におけるデータの読取だけの制御することができる。
【００１２】
図５に示すように、前記回路基板１３の第二実施例は、第一実施例と殆ど等しく、異なるのはそのファンクション転換ユニット４０が記憶ユニット２０或いは映像取得ユニット３０とインターフェースコネクタ１４の接続する状態を自動的に制御できる従来の２ポートハブコントローラ（ｔｗｏ−ｐｏｒｔ　ＨＵＢ　ｃｏｎｔｒｏｌｌｅｒ）４２であり、この２ポートハブコントローラ４２はよく使用されるものであるため、内部回路及び制御原理の説明を省略する。
【００１３】
又、図６に示すように、前記回路基板１３の第三実施例は、第二実施例に示す電子部材、例えば、記憶ユニットの制御部材、デジタルプロセッサー、及び２ポートハブコントローラを、単一のデジタル処理及び転換部材４３に整合すると共に、読取専用ボタン４６と接続することとする。
【００１４】
本考案に係わる映像撮影機能を有する携帯用ストレージメディアによれば、本体の内部における回路基板の記憶ユニットによってデータの記録と読取りを行うだけでなく、映像取得ユニットによって映像撮影装置として使用してもできる。
【００１５】
又、図３に示すように、本考案に係わる映像撮影機能を有する携帯用ストレージメディアを映像撮影装置として使用する場合は、パソコン４５と接続する設置座４４と配合して使用することにより、より優れた撮影効果を達成できる。
【００１６】
【考案の効果】
本考案は上記の構成を有するので、本体の内部に記憶ユニットと映像取得ユニットが設けられることにより、データの記録と読取を行うと共に、映像撮影装置として使用することができ、非常に便利である。
【図面の簡単な説明】
【図１】本考案に係わる映像撮影機能を有する携帯用ストレージメディアの分解斜視図である。
【図２】本考案に係わる映像撮影機能を有する携帯用ストレージメディアの断面図である。
【図３】本考案に係わる映像撮影機能を有する携帯用ストレージメディアの使用状態を示す斜視図である。
【図４】本考案に係わる映像撮影機能を有する携帯用ストレージメディアにおける内部回路の第一実施例を示す参考図である。
【図５】本考案に係わる映像撮影機能を有する携帯用ストレージメディアにおける内部回路の第二実施例を示す参考図である。
【図６】本考案に係わる映像撮影機能を有する携帯用ストレージメディアにおける内部回路の第三実施例を示す参考図である。
【図７】従来の携帯用ストレージメディアを示す分解斜視図である。
【符号の説明】
１０　　　　本体
１１　　　　撮影孔
１２　　　　保護カバー
１３　　　　回路基板
１４　　　　インターフェースコネクタ
２０　　　　記憶ユニット
２１　　　　記憶体
２２　　　　制御部材
３０　　　　映像取得ユニット
３１　　　　映像感知部材
３２　　　　デジタルプロセッサー
４０　　　　ファンクション転換ユニット
４１　　　　スイッチ
４２　　　　２ポートハブコントローラ
４３　　　　デジタル処理及び転換部材
４４　　　　設置座
４５　　　　パソコン
４６　　　　読取専用ボタン
５０　　　　本体
５１　　　　上カバー
５２　　　　下カバー
５３　　　　標示孔
６０　　　　ＵＳＢプラグ
６１　　　　保護カバー
【図１】
0003098439.tif 000003
【図２】
0003098439.tif 000004
【図３】
0003098439.tif 000005
【図４】
0003098439.tif 000006
【図５】
0003098439.tif 000007
【図６】
0003098439.tif 000008
【図７】
0003098439.tif 000009